(57)【要約】【課題】釘、ピン等の打ち込み部の隙間に差し込み易いと共に、打ち込まれた釘、ピン等の引き抜き作業がし易いものとなり、釘、ピン等の引き抜き作業をする場合に、それらの打ち込み部に傷が付くことがなく、しかもペンチサック等に差し込んだり、引き抜いたりする場合にも、その抜き差しにまったく支障のないニッパーを提供する。【解決手段】一対のアーム１が軸支部１ａを介して交差状に連結され、軸支部からアームの先端側に、傾斜角αを約１５〜３５度に設定した突き合わせ刃２ａを形成した一対の頭部２を設け、軸支部からアームの後端側に、頭部に続く一対のハンドル３を設け、ハンドルの基端部３ａに、側面視状態において頭部の上方向に約５〜３５度に設定した曲角βを形成し、しかも傾斜角αと曲角βとの総和を約３０〜５０度になるようにしたものとしている。さらに、頭部２の突き合わせ刃２ａの後端部に、丸みを付けたものとしている。【選択図】        図２
2004160047.tif 000002
【特許請求の範囲】
【請求項１】
一対のアーム（１）が軸支部（１ａ）を介して交差状に連結され、この軸支部（１ａ）からアーム（１）の先端側に、傾斜角（α）を約１５〜３５度に設定した突き合わせ刃（２ａ）を形成した一対の頭部（２）を設け、前記軸支部（１ａ）からアーム（１）の後端側に、前記頭部（２）に続く一対のハンドル（３）を設け、このハンドル（３）の基端部（３ａ）に、側面視状態において前記頭部（２）の上方向に約５〜３５度に設定した曲角（β）を形成し、しかも前記傾斜角（α）と曲角（β）との総和を約３０〜５０度になるようにしたことを特徴とするニッパ−。
【請求項２】
一対のアーム（１）が軸支部（１ａ）を介して交差状に連結され、この軸支部（１ａ）からアーム（１）の先端側に、傾斜角（α）を約３０度に設定した突き合わせ刃（２ａ）を形成した一対の頭部（２）を設け、前記軸支部（１ａ）からアーム（１）の後端側に、前記頭部（２）に続く一対のハンドル（３）を設け、このハンドル（３）の基端部（３ａ）に、側面視状態において前記頭部（２）の上方向に約１０度に設定した曲角（β）を形成したものとしたことを特徴とするニッパ−。
【請求項３】
前記頭部（２）の突き合わせ刃（２ａ）の後端部に、丸みを付けたものとしたことを特徴とする請求項１または２記載のニッパ−。
【発明の詳細な説明】
【０００１】
【発明の属する技術分野】
この発明は、針金、ワイヤーなどの線材やプラスチック材等を切断したり、釘、ピン、電線係止用ステップル等を引き抜くのに用いられるニッパーに関するものである。
【０００２】
【従来の技術】
従来、この種のニッパーには、強力ニッパーと呼ばれたり、斜ニッパーと呼ばれているものが存在し、図５、８に示したように、一対のアーム１１が軸支部１１ａを介して交差状に連結され、この軸支部１１ａからアーム１１の先端側に、傾斜角αを有する突き合わせ刃１２ａを形成した一対の頭部１２を設け、前記軸支部１１ａからアーム１１の後端側に、側面視状態において前記頭部１２の後端から一直線状に一対のハンドル１３を設けたものとしている。
【０００３】
そして、前記強力ニッパーと呼ばれているニッパーの突き合わせ刃１２ａの傾斜角αは、釘、ピン等を引き抜くときに、床材、壁材、天井材等のこれらの打ち込み部の隙間に差し込み易くするために、図６に示したように、約１５度に設定したものとしている。前記斜ニッパーと呼ばれているニッパーの突き合わせ刃１２ａの傾斜角αは、釘、ピン等を引き抜くときに、ハンドル１３のてこ抜き動作をし易くするために、図９に示したように、約４０度に設定したものとしている（例えば、非特許文献１参照）。
【０００４】
【非特許文献１】
「２００１総合カタログｖｏｌ．２」、ジェフコム株式会社、２００１年５月発行、ｐ．５１
【０００５】
【発明が解決しようとする課題】
しかしながら、上記従来のニッパーにおいて、突き合わせ刃１２ａの傾斜角αを約１５度に設定したものでは、突き合わせ刃１２ａの差し込み角度が小さくなり、図７に示したように、床材、壁材、天井材等の釘、ピン等の打ち込み部の隙間に差し込み易いものの、ハンドル１３の傾斜角γが約１５度になり、そのてこ抜き角度が小さくなると共に床材、壁材、天井材等との間が狭くなるので、釘、ピン等の引き抜き作業がし難いという課題を有していた。
【０００６】
さらに、上記従来のニッパーにおいて、突き合わせ刃１２ａの傾斜角αを約４０度に設定したものでは、ハンドル１３の傾斜角γが約４０度になり、そのてこ抜き角度が大きくなり、床材、壁材、天井材等に打ち込まれた釘、ピン等の引き抜き作業がし易いものの、突き合わせ刃１２ａの差し込み角度が大きくなるので、図１０に示したように、前記打ち込み部の隙間に差し込み難く、引き抜き作業がし難いという課題を有していた。
【０００７】
また、上記従来のニッパーにおいては、釘、ピン等の引き抜き作業をする場合、図６、９に示したように、突き合わせ刃１２ａの後端部が尖っており、この後端部が突き当たって床材、壁材、天井材等の釘、ピン等の打ち込み部に傷が付いてしまうという課題を有していた。
【０００８】
さらにまた、上記従来のニッパーは、通常、不使用時にはペンチサック等に差し込み腰に吊るした状態にしておき、使用時には手で掴みそのペンチサックから引き抜くが、ペンチサックに差し込む場合には、前記突き合わせ刃１２ａの後端部がペンチサックに擦れて、ペンチサックが傷付いたり、ペンチサックに差し込み難くなったり、またペンチサックから引き抜く場合には、前記突き合わせ刃１２ａの後端部がペンチサックに引っ掛かって、抜き難いことがあるという課題を有していた。
【０００９】
そこで、この発明は、上記従来の課題を解決するものであり、床材、壁材、天井材等の釘、ピン等の打ち込み部の隙間に差し込み易いと共に、打ち込まれた釘、ピン等の引き抜き作業がし易いものとなり、釘、ピン等の引き抜き作業をする場合に、それらの打ち込み部に傷が付くことがなく、しかもペンチサック等に差し込んだり、引き抜いたりする場合にも、その抜き差しにまったく支障のないニッパーを提供することを目的としてなされたものである。
【００１０】
【課題を解決するための手段】
そのため、この発明のニッパーは、一対のアーム１が軸支部１ａを介して交差状に連結され、この軸支部１ａからアーム１の先端側に、傾斜角αを約１５〜３５度に設定した突き合わせ刃２ａを形成した一対の頭部２を設け、前記軸支部１ａからアーム１の後端側に、前記頭部２に続く一対のハンドル３を設け、このハンドル３の基端部３ａに、側面視状態において前記頭部２の上方向に約５〜３５度に設定した曲角βを形成し、しかも前記傾斜角αと曲角βとの総和を約３０〜５０度になるようにしたものとしている。
【００１１】
そして、この発明のニッパーは、一対のアーム１が軸支部１ａを介して交差状に連結され、この軸支部１ａからアーム１の先端側に、傾斜角αを約３０度に設定した突き合わせ刃２ａを形成した一対の頭部２を設け、前記軸支部１ａからアーム１の後端側に、前記頭部２に続く一対のハンドル３を設け、このハンドル３の基端部３ａに、側面視状態において前記頭部２の上方向に約１０度に設定した曲角βを形成したものとするのが好ましい。
【００１２】
さらに、この発明のニッパーは、前記頭部２の突き合わせ刃２ａの後端部に、丸みを付けたものとしている。
【００１３】
【発明の実施の形態】
以下、この発明のニッパーの好ましい実施の形態について、図面に基づいて詳細に説明する。
【００１４】
この発明のニッパーは、図１に示したように、一対のアーム１が軸支部１ａを介して交差状に連結されたものとしている。この軸支部１ａからアーム１の先端側には、図２、３に示したように、傾斜角αを約３０度に設定した突き合わせ刃２ａを形成した一対の頭部２を設けたものとしている。この傾斜角αは、約１５〜３５度、好ましくは約２０〜３０度に設定したものであれば、床材、壁材、天井材等の釘、ピン等の打ち込み部の隙間に差し込み易くなる。さらに、前記軸支部１ａからアーム１の後端側には、頭部２に続く一対のハンドル３を設けたものとしている。そして、このハンドル３の基端部３ａには、図２、３に示したように、側面視状態において前記頭部２の上方向に約１０度に設定した曲角βを形成したものとしている。この曲角βは、約５〜３５度、好ましくは約１０〜２０度に設定したものとし、しかも前記傾斜角αと曲角βの総和を約３０〜５０度になるようにすれば、ハンドル３の傾斜角γが約約３０〜５０度となり、打ち込まれた釘、ピン等の引き抜き作業をし易いものとすることができるが、前記したように約３０度に設定した傾斜角αに対応して約１０度とするのが、ハンドル３の曲角が浅くなり、ニッパー自体が嵩張ることがないので好ましい。
【００１５】
前記突き合わせ刃２ａは、一直線状に突き合うようにしており、後端部に図２、３に示したように、丸みを付けたものとしている。図示したものは、この突き合わせ刃２ａの後端部の丸みを、約６ｍｍのアールＲとしているが、約３〜９ｍｍのアールＲであれば、釘、ピン等の引き抜き作業をする場合、床材、壁材、天井材等の釘、ピン等の打ち込み部に傷が付いてしまうことはなく、ペンチサック等に差し込んだり、引き抜いたりする場合にも、その抜き差しにまったく支障のないものとなる。
【００１６】
前記ハンドル３は、対になるそれぞれを互いに内側方向に略弓形に曲げたのとし、使用者が握り易く、操作のし易いものとしている。
【００１７】
以上のように構成したこの発明のニッパーを用いて、針金、ワイヤー等の線材を切断する場合には、図示していないが、通常のニッパーと同様に突き合わせ刃２ａの間に前記線材を挟み込み、ハンドル３を握り締めれば、これら線材を簡単に切断することができる。
【００１８】
さらに、この発明のニッパーを用いて釘、ピン等を引き抜く場合には、図３に示したように、突き合わせ刃２ａの傾斜角αを約３０度に設定しているので、突き合わせ刃２ａの差し込み角度が小さくなり、床材、壁材、天井材等の釘、ピン等の打ち込み部の隙間に差し込み易くなる。そして、ハンドル３の基端部３ａには、側面視状態において前記頭部２の上方向に約１０度に設定した曲角βを形成したものとしているため、図４に示したように、ハンドル３の傾斜角γが約４０度になり、ハンドル３のてこ抜き角度が大きくなるので、床材、壁材、天井材等に打ち込まれた釘、ピン等の引き抜き作業がし易いものとなる。
【００１９】
また、この発明のニッパーを用いて釘、ピン等を引き抜く場合には、突き合わせ刃２ａの後端部に丸みを付けたものとしているので、この後端部が床材、壁材、天井材等の釘、ピン等の打ち込み部に突き合っても、これらの部分に傷が付くことがない。
【００２０】
しかも、この発明のニッパーは、突き合わせ刃２ａの後端部に丸みを付けたものとしているので、ペンチサックに差し込む場合には、その突き合わせ刃２ａの後端部がペンチサックに擦れても、ペンチサックが傷付いたり、ペンチサックに差し込み難くなったりすることがなく、またペンチサックから引き抜く場合にも、前記突き合わせ刃１２ａの後端部がペンチサックに引っ掛かることなく、スムーズに引き抜くことができるものとなる。
【００２１】
【発明の効果】
この発明のニッパーは、以上に述べたように構成されているので、床材、壁材、天井材等の釘、ピン等の打ち込み部の隙間に差し込み易いと共に、打ち込まれた釘、ピン等の引き抜き作業がし易いものとなるので、非常に作業性のよい工具となり、釘、ピン等の引き抜き作業をする場合に、それらの打ち込み部に傷が付くことがなく、しかもペンチサック等に差し込んだり、引き抜いたりする場合にも、その抜き差しにまったく支障がなく、非常に操作性のよい工具となった。
【図面の簡単な説明】
【図１】この発明のニッパーの一実施形態を示す平面図である。
【図２】この発明のニッパーの一実施形態を示す側面図である。
【図３】図１に示すこの発明のニッパーの部分拡大側面図である。
【図４】この発明のニッパーの使用状態を示す説明図である。
【図５】従来のニッパーの一例を示す側面図である。
【図６】図５に示す従来のニッパーの部分拡大側面図である。
【図７】図５に示す従来のニッパーの使用状態を示す説明図である。
【図８】従来のニッパーの他の例を示す側面図である。
【図９】図８に示す従来のニッパーの部分拡大側面図である。
【図１０】図８に示す従来のニッパーの使用状態を示す説明図である。
【符号の説明】
１  アーム
１ａ  軸支部
２  頭部
２ａ  突き合わせ刃
３  ハンドル
３ａ  基端部
α  傾斜角
β  曲角
【図１】
2004160047.tif 000003
【図２】
2004160047.tif 000004
【図３】
2004160047.tif 000005
【図４】
2004160047.tif 000006
【図５】
2004160047.tif 000007
【図６】
2004160047.tif 000008
【図７】
2004160047.tif 000009
【図８】
2004160047.tif 000010
【図９】
2004160047.tif 000011
【図１０】
2004160047.tif 000012